(57)【要約】【課題】地上デジタル放送信号及びＧＰＳ信号の伝送の安定性を向上することができる、地上デジタル放送再送信システムを提供すること。【解決手段】地上デジタル放送再送信システム１は、建物の屋外に設置されており、放送局から送信された地上デジタル放送信号を受信するＤＴＶ受信アンテナ１０と、建物の屋外に設置されており、衛星から送信されたＧＰＳ信号を受信するＧＰＳ受信アンテナ３０と、建物の屋内でＧＰＳ受信アンテナ３０と平面座標が一致するように設置されており、ＤＴＶ受信アンテナ１０で受信された地上デジタル放送信号と、ＧＰＳ受信アンテナで受信されたＧＰＳ信号とを屋内に送信する送信手段と、ＤＴＶ受信アンテナ１０と、ＧＰＳ受信アンテナ３０と、送信手段とを相互に接続し、ＤＴＶ受信アンテナ１０で受信された地上デジタル放送信号と、ＧＰＳ受信アンテナ３０で受信されたＧＰＳ信号とを送信手段に向けて光通信で伝送する光伝送手段とを備える。【選択図】図１
2012007901.tif 000002
【特許請求の範囲】
【請求項１】
放送局から送信される地上デジタル放送信号を建物の屋内に再送信する地上デジタル放送再送信システムであって、
前記建物の屋外に設置されたものであって、前記放送局から送信された地上デジタル放送信号を受信する地上デジタル放送受信手段と、
前記建物の屋外に設置されたものであって、衛星から送信されたＧＰＳ信号を受信するＧＰＳ受信手段と、
前記建物の屋内において前記ＧＰＳ受信手段と平面座標が一致するように設置されたものであって、前記地上デジタル受信手段にて受信された地上デジタル放送信号と、前記ＧＰＳ受信手段にて受信されたＧＰＳ信号とを屋内に送信する送信手段と、
前記地上デジタル放送受信手段と、前記ＧＰＳ受信手段と、前記送信手段とを相互に接続するものであって、前記地上デジタル受信手段にて受信された地上デジタル放送信号と、前記ＧＰＳ受信手段にて受信されたＧＰＳ信号とを前記送信手段に向けて光通信で伝送する光伝送手段と、
を備える地上デジタル放送再送信システム。
【請求項２】
前記地上デジタル放送受信手段は、当該地上デジタル放送受信手段にて受信された地上デジタル放送信号を、電気信号から光信号に変換し、
前記ＧＰＳ受信手段は、当該ＧＰＳ受信手段にて受信されたＧＰＳ信号を、電気信号から光信号に変換し、
前記光伝送手段は、前記地上デジタル放送受信手段にて変換された地上デジタル放送信号及び前記ＧＰＳ受信手段にて変換されたＧＰＳ信号を伝送する共通の伝送路と、当該伝送路にて伝送された地上デジタル放送信号及びＧＰＳ信号を電気信号に変換する光電変換手段とを有する
請求項１に記載の地上デジタル放送再送信システム。
【請求項３】
前記送信手段は、
前記光伝送手段にて伝送された信号のうち前記地上デジタル放送信号のみを取得する地上デジタル放送信号取得手段と、前記光伝送手段にて伝送された信号のうち前記ＧＰＳ信号のみを取得するＧＰＳ信号取得手段とを備え、
前記地上デジタル放送信号取得手段にて取得された地上デジタル放送信号と、前記ＧＰＳ信号取得手段にて取得されたＧＰＳ信号とを屋内に個別に送信する、
請求項１又は２に記載の地上デジタル放送再送信システム。
【発明の詳細な説明】
【技術分野】
【０００１】
本発明は、地上デジタル放送再送信システムに関する。
【背景技術】
【０００２】
近年、携帯電話端末のような携帯端末として、地上デジタル放送の視聴が可能なものが提案されている。この携帯端末は、放送局から送られた地上デジタル放送信号を受信し、当該受信した地上デジタル放送信号に基づいて地上デジタル放送を当該携帯端末の画面に表示する。しかしながら、放送局から送信される地上デジタル放送信号が届かない地域では、ユーザがこの携帯端末を用いて地上デジタル放送を視聴することができなかった。そこで、地上デジタル放送信号が届かない地域であっても、地上デジタル放送を視聴することができる共同受信システムが提案されている（例えば、特許文献１等参照）。この共同受信システムは、放送局から出力される地上デジタル放送信号を受ける受信アンテナと、当該受信アンテナで受けた地上デジタル放送信号から再送信の対象となる地上デジタル放送信号を選択受信し、そのレベルを調整して出力する受信機と、受信機から与えられる入力信号を所定のレベルに増幅して出力する主増幅機と、入力端子に入力された信号を増幅して分岐し、出力端子に出力すると共に送信アンテナから送信する中継送信機と、主増幅機の出力側と中継送信機の入力端子の間を接続する第１のケーブルと、中継送信機の出力端子とその後段の中継送信機の入力端子の間を接続する第２のケーブルとを備えて構成されている。
【先行技術文献】
【特許文献】
【０００３】
【特許文献１】特開２００４−４８１４１公報
【発明の概要】
【発明が解決しようとする課題】
【０００４】
ところで、この共同受信システムは、ＧＰＳ（Ｇｌｏｂａｌ  Ｐｏｓｉｔｉｏｎｉｎｇ  Ｓｙｓｔｅｍ）衛星から送信されたＧＰＳ信号を用いて位置の検出が可能なように、ＧＰＳ信号を受信するＧＰＳ用受信アンテナを設置して、当該ＧＰＳ用アンテナと第１のケーブルとを接続することにより、当該第１のケーブルを介して当該ＧＰＳ信号と地上デジタル放送信号とを併せて中継送信機に送るようにしてもよい。しかしながら、この共同通信システムは、地上デジタル放送信号及びＧＰＳ信号の伝送の安定性に関して改善の余地があった。例えば、電気ノイズを発生させる機器又は漏電電波を発生させる電力線が設置されている場所に、電線で構成された第１のケーブルが配設された場合には、これら電気ノイズ又は漏電電波によって、第１ケーブルにおける地上デジタル放送信号及びＧＰＳ信号の伝送が阻害されることにより、送信アンテナから安定した地上デジタル放送信号及びＧＰＳ信号の送信を行うことが困難になるという問題があった。
【０００５】
本発明は、上記に鑑みてなされたものであって、地上デジタル放送信号及びＧＰＳ信号の伝送の安定性を向上することができる、地上デジタル放送再送信システムを提供することを目的とする。
【課題を解決するための手段】
【０００６】
上述した課題を解決し、目的を達成するために、請求項１に記載の地上デジタル放送再送信システムは、放送局から送信される地上デジタル放送信号を建物の屋内に再送信する地上デジタル放送再送信システムであって、前記建物の屋外に設置されたものであって、前記放送局から送信された地上デジタル放送信号を受信する地上デジタル放送受信手段と、前記建物の屋外に設置されたものであって、衛星から送信されたＧＰＳ信号を受信するＧＰＳ受信手段と、前記建物の屋内において前記ＧＰＳ受信手段と平面座標が一致するように設置されたものであって、前記地上デジタル受信手段にて受信された地上デジタル放送信号と、前記ＧＰＳ受信手段にて受信されたＧＰＳ信号とを屋内に送信する送信手段と、前記地上デジタル放送受信手段と、前記ＧＰＳ受信手段と、前記送信手段とを相互に接続するものであって、前記地上デジタル受信手段にて受信された地上デジタル放送信号と、前記ＧＰＳ受信手段にて受信されたＧＰＳ信号とを前記送信手段に向けて光通信で伝送する光伝送手段とを備える。
【０００７】
請求項２に記載の地上デジタル放送再送信システムは、請求項１に記載の地上デジタル放送再送信システムにおいて、前記地上デジタル放送受信手段は、当該地上デジタル放送受信手段にて受信された地上デジタル放送信号を、電気信号から光信号に変換し、前記ＧＰＳ受信手段は、当該ＧＰＳ受信手段にて受信されたＧＰＳ信号を、電気信号から光信号に変換し、前記光伝送手段は、前記地上デジタル放送受信手段にて変換された地上デジタル放送信号及び前記ＧＰＳ受信手段にて変換されたＧＰＳ信号を伝送する共通の伝送路と、当該伝送路にて伝送された地上デジタル放送信号及びＧＰＳ信号を電気信号に変換する光電変換手段とを有する。
【０００８】
請求項３に記載の地上デジタル放送再送信システムは、請求項１又は２に記載の地上デジタル放送再送信システムにおいて、前記送信手段は、前記光伝送手段にて伝送された信号のうち前記地上デジタル放送信号のみを取得する地上デジタル放送信号取得手段と、前記光伝送手段にて伝送された信号のうち前記ＧＰＳ信号のみを取得するＧＰＳ信号取得手段とを備え、前記地上デジタル放送信号取得手段にて取得された地上デジタル放送信号と、前記ＧＰＳ信号取得手段にて取得されたＧＰＳ信号とを屋内に個別に送信する。
【発明の効果】
【０００９】
請求項１に記載の地上デジタル放送再送信システムによれば、地上デジタル受信手段にて受信された地上デジタル放送信号と、ＧＰＳ受信手段にて受信されたＧＰＳ信号とを送信手段に向けて光通信で伝送するので、建物の屋外又は屋外に設置された機器から発生する電気ノイズや電力線から発生する漏電電波等の影響を受けにくく、伝送による信号の損失が極めて小さいため、伝送の途中で信号を補正・増幅しなくても長距離伝送を行うことができ、地上デジタル放送信号及びＧＰＳ信号の伝送の安定性を向上することができる。
【００１０】
請求項２に記載の地上デジタル放送再送信システムによれば、光伝送手段は、地上デジタル放送受信手段にて変換された地上デジタル放送信号及びＧＰＳ受信手段にて変換されたＧＰＳ信号を伝送する共通の伝送路と、当該伝送路にて伝送された地上デジタル放送信号及びＧＰＳ信号を電気信号に変換する光電変換手段とを有するので、これら地上デジタル放送信号及びＧＰＳ信号を光伝送手段に同時に伝送し、当該地上デジタル放送信号及びＧＰＳ信号を光信号から電気信号に同時に変換することができ、光伝送手段の施工を簡略化することができると共に、光伝送手段の施工コストを低減することができる。特に、地上デジタル放送の地下施設等への再送信システムが導入されている場合には、この既設の再送信システムにＧＰＳ信号を混合して伝送することで、ＧＰＳ信号を送信するための専用の伝送路を敷設する必要がなくなるので、システムの設置コストを一層低減することができる。
【００１１】
請求項３に記載の地上デジタル放送再送信システムによれば、送信手段は、地上デジタル放送信号取得手段にて取得された地上デジタル放送信号と、ＧＰＳ信号取得手段にて取得されたＧＰＳ信号とを屋内に個別に送信するので、送信手段の送信範囲内にいるユーザは地上デジタル放送信号又はＧＰＳ信号を受信することができ、当該受信した地上デジタル放送信号に基づいて地上デジタル放送を視聴したり、当該受信したＧＰＳ信号に基づいて当該送信手段に対応するＧＰＳ受信手段の位置に関する位置情報を取得することができる。
【図面の簡単な説明】
【００１２】
【図１】本実施の形態に係る地上デジタル放送再送信システムの構成を示す概念図である。
【発明を実施するための形態】
【００１３】
以下に添付図面を参照して、この発明に係る地上デジタル放送再送信システムの実施の形態を詳細に説明する。ただし、これらの実施の形態によって本発明が限定されるものではない。
【００１４】
（構成）
本実施の形態に係る地上デジタル放送再送信システムの設置対象の具体的な目的や構成は特記するものを除いて任意であり、地上デジタル放送信号及びＧＰＳ信号を遮断する建物であり、例えば、ショッピングセンター、オフィスビル等の地上施設に限定されず、トンネル、地下街等の地下施設にも設置することができる。以下では、設置対象が、ショッピングセンターである場合を例として説明を行う。また、以下の説明では、本実施の形態の建物は、鉄筋コンクリート等で形成された床、天井、屋根、壁で構成されている。また、以下の説明では、「位置情報」とは、衛星から送られるＧＰＳ信号の受信点の位置を示す情報であって、例えば、緯度、経度、高度等に関する情報が含まれるものとする。
【００１５】
（構成−地上デジタル放送再送信システム）
次に、地上デジタル放送再送信システムの機械的及び電気的構成について説明する。図１は、本実施の形態に係る地上デジタル放送再送信システム１の構成を示す概念図である。図１に示すように、地上デジタル放送再送信システム１は、ＤＴＶ（Ｄｉｇｉｔａｌ  Ｔｅｌｅｖｉｓｉｏｎ）受信アンテナ１０、ＤＴＶ再送信機２０、ＧＰＳ受信アンテナ３０、ＧＰＳ受信機４０、光ケーブル５０、Ｖ−ＯＮＵ（Ｖｉｄｅｏ−Ｏｐｔｉｃａｌ  Ｎｅｔｗｏｒｋ  Ｕｎｉｔ）６０、ＤＴＶフィルタ７０、ＧＰＳフィルタ８０、ＤＴＶ送信アンテナ９０、及びＧＰＳ送信アンテナ１００を備えて構成されている（図１では、光ケーブル５０ａ〜５０ｄが設けられている。これら光ケーブル５０ａ〜５０ｄは、相互に区別する必要がない場合には「光ケーブル５０」と総称する）。
【００１６】
ＤＴＶ受信アンテナ１０は、放送局から送信された地上デジタル放送信号を受信する地上デジタル放送受信手段である。このＤＴＶ受信アンテナ１０は、建物の屋外に設置されており、当該建物の屋根等に固定されている。また、「地上デジタル放送」とは、地上デジタル放送やＢＳデジタル放送によるＴＶ放送やラジオ放送等を含むが、これらに限定されず任意の放送形態による放送を含む。また、「地上デジタル放送」は、放送局から放送された放送（以下、「一次放送」）と、一次放送を中継等する機器から出力された放送（以下、「二次放送」）を含む。
【００１７】
ＤＴＶ再送信機２０は、ＤＴＶ受信アンテナ１０にて受信された地上デジタル放送信号を屋内に向けて再送信する地上デジタル放送再送信手段である。このＤＴＶ再送信機２０は、建物の屋外に設置されており、電線を介してＤＴＶ受信アンテナ１０と接続されている。また、このＤＴＶ再送信機２０は、変換回路２１及びレーザダイオード（以下ＬＤ）２２を備えて構成されている。変換回路２１は、ＤＴＶ受信アンテナ１０にて受信された地上デジタル放送信号の周波数を所定の周波数に変換する周波数変換手段である。具体的には、ＵＨＦ（Ｕｌｔｒａ−Ｈｉｇｈ  Ｆｒｅｑｕｅｎｃｙ）帯の地上放送を直接送ることにより有線テレビジョン放送を行う設備を用いて、地上デジタル放送信号を建物の屋内に送信する場合に、変換回路２１は、ＤＴＶ受信アンテナ１０にて受信された地上デジタル放送信号の周波数帯域（例えば、周波数帯域７０〜７７０ＭＨｚ）を、ＵＨＦ帯の周波数帯域（例えば、周波数帯域４７０〜７１０ＭＨｚ）に公知の方法にて変換する。ＬＤ２２は、ＤＴＶ受信アンテナ１０にて取得された地上デジタル放送信号を、電気信号から光信号に変換する電光変換手段である。なお、本実施の形態では電光変換素子としてＬＤ２２が用いられているが、これに限られず、例えば、電光変換素子として公知のＬＥＤや公知の有機ＥＬ素子が用いられてもよい（以下、後述するＬＤ４２も同様とする）。
【００１８】
ＧＰＳ受信アンテナ３０は、衛星から送信されたＧＰＳ信号を受信するＧＰＳ受信手段である。このＧＰＳ受信アンテナ３０は、建物の屋外に設置されており、当該建物の屋根等に所定間隔毎に固定されている。また、ＧＰＳ受信アンテナ３０の各々の間隔の設定方法は任意であり、例えば、後述する各ＧＰＳ送信アンテナ１００のＧＰＳ信号の送信範囲が一定の場合には、当該ＧＰＳ信号の送信範囲の相互間に隙間が生じないように、ＧＰＳ受信アンテナ３０の各々の間隔が設定される。
【００１９】
ここで、「ＧＰＳ信号」とは、ＧＰＳ衛星から送信されるＧＰＳ信号が含まれるが、これに限られず、例えば、高い測位精度を有する準天頂衛星から送信されるＱＺＳＳ（Ｑｕａｓｉ−Ｚｅｎｉｔｈ  Ｓａｔｅｌｌｉｔｅ  Ｓｙｓｔｅｍ）信号が含まれる。このＱＺＳＳ信号は、ＧＰＳ信号と同様に、無線通信で使用される周波数帯域１．５７５４ＧＨｚにおいてＰＲＮ番号（Ｐｓｅｕｄｏ  Ｒａｎｄｏｍ  Ｎｏｉｓｅ  ｃｏｄｅ  ｎｕｍｂｅｒ：擬似雑音符号番号）で管理されており、ＧＰＳ信号と同様に取り扱うことができる。また、建物の屋内に設置されたＩＭＥＳ（Ｉｎｄｏｏｒ  ＭＥｓｓａｇｅｉｎｇ  Ｓｙｓｔｅｍ）データ発生装置から発信される信号も含まれる。この信号は、ＩＭＥＳデータ発生装置の設置場所の位置情報を含む信号であり、ＧＰＳ信号と同じ周波数を有する測位信号であるため、ＧＰＳ信号と同様に取り扱うことができる。
【００２０】
また、ＧＰＳ受信アンテナ３０によるＧＰＳ信号の受信方法は任意であり、複数のＧＰＳ信号に基づいてＧＰＳ受信アンテナ３０の位置を特定するために、当該ＧＰＳ受信アンテナ３０が複数の衛星から所定数のＧＰＳ信号（例えば４つ以上のＧＰＳ信号）を受信する。また、ＧＰＳ受信アンテナ３０が複数のＧＰＳ信号を受信する場合には、例えば、当該ＧＰＳ受信アンテナ３０がＧＰＳ衛星のみからＧＰＳ信号を受信したり、あるいは、ＧＰＳ衛星及び準天頂衛星からＧＰＳ信号及びＱＺＳＳ信号を組み合わせて受信してもよい。また、例えば、ＧＰＳ受信アンテナ３０からＧＰＳ信号を受信できる衛星が所定数以上ある場合には、当該ＧＰＳ受信アンテナ３０が受信状態の良好な衛星を公知の検出方法で検出する図示しない検出部を備えることにより、当該ＧＰＳ受信アンテナ３０が当該図示しない検出部にて検出された衛星のＧＰＳ信号を受信するようにしてもよい。
【００２１】
ＧＰＳ受信機４０は、ＧＰＳ受信アンテナ３０にて受信されたＧＰＳ信号を受信するものである。このＧＰＳ受信機４０は、各ＧＰＳ受信アンテナ３０に対応して設けられており、建物の屋外に設置され、電線を介してＧＰＳ受信アンテナ３０と接続されている。また、このＧＰＳ受信機４０は、チューナ４１、及びＬＤ４２を備えて構成されている。チューナ４１は、ＧＰＳ受信アンテナ３０にて受信された複数のＧＰＳ信号から所定のＧＰＳ信号を取得する取得手段である。具体的には、チューナ４１は、ＧＰＳ受信アンテナ３０にて受信されたＧＰＳ信号から所定の周波数帯域のＧＰＳ信号（例えば、周波数帯域１．５７５４ＧＨｚのＧＰＳ信号）を公知の方法にて取得する。ＬＤ４２は、チューナ４１にて取得されたＧＰＳ信号を、電気信号から光信号に変換する電光変換手段である。
【００２２】
光ケーブル５０は、ＤＴＶ再送信機２０にて光信号に変換された地上デジタル放送信号をＤＴＶ送信アンテナ９０に向けて伝送すると共に、ＧＰＳ受信機４０にて光信号に変換されたＧＰＳ信号をＧＰＳ送信アンテナ１００に向けて伝送する共通の伝送路である。この光ケーブル５０は、建物の屋外に設けられたＧＰＳ受信機４０から建物の屋内に引き込まれるように配置されている。
【００２３】
また、この光ケーブル５０は、ＤＴＶ再送信機２０と、ＧＰＳ受信機４０と、Ｖ−ＯＮＵ６０とを相互に接続しており、当該光ケーブル５０の経路上には、分配器Ｄ１と混合器Ｍ１とが設けられている。分配器Ｄ１は、ＤＴＶ再送信機２０から送られた地上デジタル放送信号を分配する分配手段である（後述する分配器Ｄ２も同様とする）。混合器Ｍ１は、当該分配器Ｄ１にて分配された地上デジタル放送信号と、ＧＰＳ受信機４０から送られたＧＰＳ信号とを混合する混合手段である。
【００２４】
また、この光ケーブル５０を構成する光ファイバは、電気ノイズの影響を受けにくい材質、例えば、完全フッ素化ポリマー、ポリスチレン等のプラスチック材料やガラス材料等で形成されている。これにより、光ケーブル５０の配線経路の近傍において、当該光ケーブル５０の配線経路の近傍において電気ノイズを発生させる機器（例えば、空調機器等）や漏電電波等を発生させる電力線（例えば、照明機器等と電源とを接続する電力線等）が設置されていても、光ケーブル５０は安定した信号の伝送を行うことができる。また、光ファイバがガラス材料等の絶縁材料で形成されているので、光ケーブル５０における信号の伝送ロスが電線に比べて極めて小さいことから、光ケーブル５０は伝送の途中で信号を補正・増幅しなくても安定した長距離伝送を行うことができる。
【００２５】
この光ケーブル５０の配線方法は任意であり、例えば、図１に示すように、ＧＰＳ受信アンテナ３０の直下位置の建物の天井の一部に設けられた配線口を介して光ケーブル５０を配線する。あるいは、ＧＰＳ受信アンテナ３０から離れた位置の建物の天井部分又は壁部分等に設けられた配線口を介して光ケーブル５０を配線してもよい。この場合において、複数の光ケーブル５０を一つの配線口を介して配線する場合に、複数の光ケーブル５０を束ねて配線することになるが、このような場合であっても、光ケーブル５０から漏電電波がほとんど発生しないため、安定した信号の伝送を行うことができると共に、光ケーブル５０の配線の施工性を向上させることができる。
【００２６】
Ｖ−ＯＮＵ６０は、光ケーブル５０を介して伝送された地上デジタル放送及びＧＰＳ信号を、光信号から電気信号に変換する光電変換手段である。このＶ−ＯＮＵ６０は、各ＧＰＳ受信アンテナ３０に対応して設けられており、建物の屋内に配置されている。また、このＶ−ＯＮＵ６０は、当該Ｖ−ＯＮＵ６０から送られた信号を分配する分配器Ｄ２及び電線を介してＤＴＶフィルタ７０と相互に接続されていると共に、当該分配器Ｄ２及び電線を介してＧＰＳフィルタ８０と相互に接続されている。これらＶ−ＯＮＵ６０の設置位置は任意であり、建物の天井の外観を向上させる位置に設置してもよい。例えば、図１に示すように、ＧＰＳ受信アンテナ３０の直下位置の建物の天井の一部に設けられた配線口を介して光ケーブル５０が配設されている場合には、建物の天井に設置された配線口の内部にＶ−ＯＮＵ６０を設置してもよい。なお、光ケーブル５０及びＶ−ＯＮＵ６０は、特許請求の範囲における光伝送手段を構成するものである。
【００２７】
ＤＴＶフィルタ７０は、Ｖ−ＯＮＵ６０にて伝送された信号のうち地上デジタル放送信号のみを取得する地上デジタル放送信号取得手段である。具体的には、ＤＴＶフィルタ７０は、Ｖ−ＯＮＵ６０とＤＴＶフィルタ７０との相互間に設けられた分配器Ｄ２で分配されたＶ−ＯＮＵ６０から送られた信号を電線を介して取得し、当該取得した信号に含まれる地上デジタル放送信号を公知の方法で取得する。このＤＴＶフィルタ７０は、各ＧＰＳ受信アンテナ３０に対応して設けられており、建物の屋内に配置され、電線を介してＤＴＶ送信アンテナ９０に接続されている。また、このＤＴＶフィルタ７０の具体的構成は任意であり、例えば、ＤＴＶフィルタ７０は、当該ＤＴＶフィルタ７０で取得した地上デジタル放送信号の周波数を所定の周波数に変換するための図示しない変換部を備えてもよい。具体的には、この図示しない変換部は、ＤＴＶフィルタ７０で取得した地上デジタル放送信号の周波数帯域（例えば、周波数帯域４７０〜７１０ＭＨｚ）を、ＤＴＶ受信アンテナで受信した地上デジタル放送信号の周波数帯域（例えば、周波数帯域７０〜７７０ＭＨｚ）に公知の方法にて変換する。また、ＤＴＶフィルタ７０は、当該ＤＴＶフィルタ７０で取得した地上デジタル放送信号を、図示しない増幅器を用いて所定のレベルまで増幅させてもよい（後述するＧＰＳフィルタ８０も同様とする）。
【００２８】
ＧＰＳフィルタ８０は、Ｖ−ＯＮＵ６０にて伝送された信号のうちＧＰＳ信号のみを取得するＧＰＳ信号取得手段である。具体的には、ＧＰＳフィルタ８０は、分配器Ｄ２で分配されたＶ−ＯＮＵ６０から送られた信号を電線を介して取得し、当該取得した信号に含まれるＧＰＳ信号を公知の方法で取得する。このＧＰＳフィルタ８０は、各ＧＰＳ受信アンテナ３０に対応して設けられており、建物の屋内に配置され、電線を介してＧＰＳ送信アンテナ１００に接続されている。
【００２９】
ＤＴＶ送信アンテナ９０は、ＤＴＶフィルタ７０で取得された地上デジタル放送信号を建物の屋内に送信するＤＴＶ送信手段である。このＤＴＶ送信アンテナ９０は、各ＧＰＳ受信アンテナ３０に対応するように設けられており、建物の屋内に配置され、当該建物の天井に固定されている。また、ＤＴＶ送信アンテナ９０の具体的構成は任意であるが、例えば、ＤＴＶ送信アンテナ９０には、建物の屋内の広さに応じて、建物の屋内に送信される地上デジタル放送信号の送信範囲を任意に変えられるように地上デジタル放送信号の送信範囲を調整する図示しない送信範囲調整部が設けられてもよい。この図示しない送信範囲調整部を用いる場合には、例えば、ＤＴＶ送信アンテナ９０に取り付けられた図示しない操作部が管理人等によって操作されることにより、地上デジタル放送信号の送信範囲が調整されるようにしてもよい（後述するＧＰＳ送信アンテナ１００も同様とする）。
【００３０】
ＧＰＳ送信アンテナ１００は、ＧＰＳフィルタ８０で取得されたＧＰＳ信号を建物の屋内に送信するＧＰＳ送信手段である。このＧＰＳ送信アンテナ１００は、各ＧＰＳ受信アンテナ３０に対応するように設けられており、建物の屋内に配置され、当該建物の天井に固定されている。このＧＰＳ送信アンテナ１００は、当該ＧＰＳ送信アンテナ１００の平面座標とＧＰＳ受信アンテナ３０の平面座標とが一致するように配置されている。これにより、ＧＰＳ送信アンテナ１００にて送信されたＧＰＳ信号に基づいて特定されるＧＰＳ受信アンテナ３０の位置と実際にＧＰＳ受信アンテナ３０が設置されている位置とを一致させることができる。なお、ＤＴＶフィルタ７０、ＤＴＶ送信アンテナ９０、ＧＰＳフィルタ８０、及びＧＰＳ送信アンテナ１００は、特許請求の範囲における送信手段を構成するものである。
【００３１】
（地上デジタル放送再送信システムの動作）
次に、地上デジタル放送再送信システム１の動作について説明する。まず、図１に示すように、ＤＴＶ受信アンテナ１０は、放送局から送信される地上デジタル放送信号を受信するまで待機する。また、ＧＰＳ受信アンテナ３０も、複数の衛星から送信される所定数のＧＰＳ信号を受信するまで待機する。ここで、ＧＰＳ受信アンテナ３０が受信状態の良好な衛星からＧＰＳ信号を受信する場合には、例えば、上記の図示しない検出部によって公知な検出方法で衛星が検出された後に、当該図示しない検出部にて検出された衛星から当該ＧＰＳ受信アンテナ３０がＧＰＳ信号を受信する。
【００３２】
次いで、放送局から地上デジタル放送信号が受信された場合に、ＤＴＶ受信アンテナ１０は、当該受信された地上デジタル放送信号を電気信号としてＤＴＶ再送信機２０に送る。また、所定数のＧＰＳ信号が受信された場合に、ＧＰＳ受信アンテナ３０は、当該受信された所定数のＧＰＳ信号を電気信号としてＧＰＳ受信機４０に送る。
【００３３】
次に、ＤＴＶ再送信機２０の変換回路２１は、ＤＴＶ受信アンテナ１０から送られた地上デジタル放送信号の周波数を所定の周波数に公知の方法にて変換し、当該変換した地上デジタル放送信号を電気信号としてＤＴＶ再送信機２０のＬＤ２２に送る。次いで、ＤＴＶ再送信機２０のＬＤ２２は、ＤＴＶ再送信機２０の変換回路２１から送られた地上デジタル放送信号を電気信号から光信号に変換する。その後、ＤＴＶ再送信機２０は、当該変換した地上デジタル放送信号を光ケーブル５０を介してＶ−ＯＮＵ６０へ伝送する。一方、ＧＰＳ受信機４０のチューナ４１は、ＧＰＳ受信アンテナ３０から送られた所定数のＧＰＳ信号の中から所定の周波数帯域のＧＰＳ信号を公知の方法にて取得し、当該取得したＧＰＳ信号を電気信号としてＧＰＳ受信機４０のＬＤ４２に送る。次いで、ＧＰＳ受信機４０のＬＤ４２は、ＧＰＳ受信機４０のチューナ４１から送られたＧＰＳ信号を、電気信号から光信号に変換する。その後、ＧＰＳ受信機４０は、当該変換したＧＰＳ信号を、光ケーブル５０を介してＶ−ＯＮＵ６０へ伝送する。なお、この光ケーブル５０は、電気ノイズ等の影響を受けにくく、伝送による信号の損失が極めて小さいため、光ケーブル５０の配線経路の近傍に電気ノイズを発生する機器や電力線等が設置されていたり、あるいは当該光ケーブル５０の長さが長距離であっても、ＤＴＶ再送信機２０又はＧＰＳ受信機４０からＶ−ＯＮＵ６０に向けて安定した信号の伝送を行うことができる。
【００３４】
ここで、光ケーブル５０における地上デジタル放送信号とＧＰＳ信号の伝送方法について説明する。図１に示すように、ＤＴＶ再送信機２０から送られた地上デジタル放送信号を光ケーブル５０ａを介して分配器Ｄ１に送り、当該送られた地上デジタル放送信号を分配器Ｄ１で分配し、当該分配した地上デジタル放送信号を光ケーブル５０ｂを介して混合器Ｍ１に送る。また、ＧＰＳ受信機４０から送られたＧＰＳ信号を光ケーブル５０ｃを介して混合器Ｍ１に送る。そして、これら混合器Ｍ１に集められた地上デジタル放送信号とＧＰＳ信号とを当該混合器Ｍ１で混合し、当該混合した地上デジタル放送信号及びＧＰＳ信号を光ケーブル５０ｄを介してＶ−ＯＮＵ６０に送る。このように、光ケーブル５０は、ＤＴＶ再送信機２０にて変換された地上デジタル放送信号及びＧＰＳ受信機４０にて変換されたＧＰＳ信号を伝送する共通の光ケーブル５０ｄを有するので、これら地上デジタル放送信号及びＧＰＳ信号をＶ−ＯＮＵ６０に同時に伝送することができ、光ケーブル５０の施工を簡略化することができると共に、光ケーブル５０の施工コストを低減することができる。なお、地上デジタル放送信号とＧＰＳ信号とでは異なる周波数帯域であるため（前者は４７０〜７１０ＭＨｚで、後者は１．５７５４ＧＨｚ）、両信号を混合した場合でも信号の干渉が生じにくいものと考えられる。
【００３５】
続いて、Ｖ−ＯＮＵ６０は、光ケーブル５０から伝送された地上デジタル放送信号及びＧＰＳ信号を、光信号から電気信号へ変換する。次いで、Ｖ−ＯＮＵ６０は、当該Ｖ−ＯＮＵ６０にて電気信号に変換された地上デジタル放送及びＧＰＳ信号を分配器Ｄ２に送り、当該分配器Ｄ２で分配された一方の地上デジタル放送及びＧＰＳ信号をＤＴＶフィルタ７０に送ると共に、当該分配器Ｄ２で分配された他方の地上デジタル放送及びＧＰＳ信号をＧＰＳフィルタ８０に送る。そして、ＤＴＶフィルタ７０は、分配器Ｄ２から送られた一方の地上デジタル放送及びＧＰＳ信号のうち地上デジタル放送信号のみを公知の方法にて取得し、当該取得した地上デジタル放送信号をＤＴＶ送信アンテナ９０に送る。また、ＧＰＳフィルタ８０は、分配器Ｄ２から送られた他方の地上デジタル放送及びＧＰＳ信号のうちＧＰＳ信号のみを公知の方法にて取得し、当該取得したＧＰＳ信号をＧＰＳ送信アンテナ１００に送る。
【００３６】
次に、ＤＴＶ送信アンテナ９０は、当該ＤＴＶフィルタ７０から送られた地上デジタル放送信号を、当該ＤＴＶ送信アンテナ９０の送信範囲内（例えば１０ｍ以内）において建物の屋内に送信する。また同時に、ＧＰＳ送信アンテナ１００は、当該ＧＰＳフィルタ８０から送られたＧＰＳ信号を、当該ＧＰＳ送信アンテナ１００の送信範囲内（図１では、ＤＴＶ送信アンテナ９０の送信範囲と同様する）において建物の屋内に送信する。これにより、ＤＴＶ送信アンテナ９０の送信範囲内にいるユーザは、当該ユーザが携帯する携帯端末（例えば、地上デジタル放送の視聴機能が搭載された携帯電話等）によって地上デジタル放送信号を受信することができ、当該受信した地上デジタル放送信号に基づいて地上デジタル放送を視聴することができる。また、ＧＰＳ送信アンテナ１００の送信範囲内にいるユーザは、当該ユーザが携帯する携帯端末（例えば、ＧＰＳ機能が搭載された携帯電話等）によってＧＰＳ信号を受信することができ、当該受信したＧＰＳ信号に基づいて当該ＧＰＳ送信アンテナ１００に対応するＧＰＳ受信機４０の位置に関する位置情報を取得することができる。
【００３７】
（効果）
このように本実施の形態によれば、ＤＴＶ再送信機２０又はＧＰＳ受信機４０と送信手段との相互間において、ＤＴＶ再送信機２０にて受信された地上デジタル放送信号をＤＴＶ送信アンテナ９０に向けて光伝送手段を介して光通信で伝送し、ＧＰＳ受信機４０にて受信されたＧＰＳ信号をＧＰＳ送信アンテナ１００に向けて光伝送手段を介して光通信で伝送するので、建物の屋外又は屋外に設置された機器から発生する電気ノイズや電力線から発生する漏電電波等の影響を受けにくく、伝送による信号の損失が極めて小さいため、伝送の途中で信号を補正・増幅しなくても長距離伝送を行うことができ、地上デジタル放送信号及びＧＰＳ信号の伝送の安定性を向上することができる。
【００３８】
また、光伝送手段は、ＤＴＶ再送信機２０にて変換された地上デジタル放送信号及びＧＰＳ受信機４０にて変換されたＧＰＳ信号を伝送する共通の光ケーブル５０と、当該光ケーブル５０にて伝送された地上デジタル放送信号及びＧＰＳ信号を電気信号に変換するＶ−ＯＮＵ６０とを有するので、これら地上デジタル放送信号及びＧＰＳ信号をＶ−ＯＮＵ６０に同時に伝送し、当該地上デジタル放送信号及びＧＰＳ信号を光信号から電気信号に同時に変換することができ、光伝送手段の施工を簡略化することができると共に、光伝送手段の施工コストを低減することができる。特に、地上デジタル放送の地下施設等への再送信システムが導入されている場合には、この既設の再送信システムにＧＰＳ信号を混合して伝送することで、ＧＰＳ信号を送信するための専用の伝送路を敷設する必要がなくなるので、システムの設置コストを一層低減することができる。
【００３９】
また、送信手段は、ＤＴＶフィルタ７０にて取得された地上デジタル放送信号をＤＴＶ送信アンテナ９０により屋内に送信し、ＧＰＳフィルタ８０にて取得されたＧＰＳ信号をＧＰＳ送信アンテナ１００により屋内に送信するので、ＤＴＶ送信アンテナ９０の送信範囲内にいるユーザは地上デジタル放送信号を受信することができ、当該受信した地上デジタル放送信号に基づいて地上デジタル放送を視聴することができる。またＧＰＳ送信アンテナ１００の送信範囲内にいるユーザはＧＰＳ信号を受信することができ、当該受信したＧＰＳ信号に基づいて当該ＧＰＳ送信アンテナ１００に対応するＧＰＳ受信機４０の位置に関する位置情報を取得することができる。
【００４０】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００４１】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００４２】
（地上デジタル放送再送信システムの適用対象）
上述の本実施の形態では、地上デジタル放送再送信システム１は、放送局から送信される地上デジタル放送信号及び衛星から送信されるＧＰＳ信号が遮断される建物の屋内に適用した場合について説明したが、これに限られず、例えばビル陰により地上デジタル放送及びＧＰＳ信号の受信状態が好ましくない場所等、すなわち建物の屋外に適用してもよい。
【００４３】
（Ｖ−ＯＮＵについて）
上述の本実施の形態では、光ケーブル５０にて伝送された地上デジタル放送信号及びＧＰＳ信号の光電変換を行うＶ−ＯＮＵ６０を設けると説明したが、例えば、当該Ｖ−ＯＮＵ６０と、無給電にて地上デジタル放送信号及びＧＰＳ信号の光電変換を行う無給電ＯＮＵとを併設してもよい。これにより、停電時であっても、無給電ＯＮＵによってＧＰＳ受信アンテナ３０にて受信されたＧＰＳ信号を建物の屋内に送信することができる。
【００４４】
（送信手段について）
上述の本実施の形態では、送信手段は、ＤＴＶフィルタ７０にて取得された地上デジタル放送信号をＤＴＶ送信アンテナ９０により屋内に送信し、ＧＰＳフィルタ８０にて取得されたＧＰＳ信号をＧＰＳ送信アンテナ１００により屋内に送信すると説明したが、これに限られない。例えば、Ｖ−ＯＮＵ６０から送られた地上デジタル放送及びＧＰＳ信号をまとめて屋内に送信する送信アンテナを設けることで、当該地上デジタル放送及びＧＰＳ信号を屋内に送信してもよい。これにより、電線の配線を簡略化し、ＤＴＶフィルタ７０、ＧＰＳフィルタ８０、及び分配器Ｄ２の設置を省略化することができる。この場合には、例えば、ユーザが携帯する携帯端末に、送信アンテナから送信された信号から地上デジタル放送又はＧＰＳ信号を取得する手段を設けるようにしてもよい。
【００４５】
（位置情報について）
上述の本実施の形態では、ＧＰＳ受信機４０にて受信されたＧＰＳ信号に基づいて位置情報を取得すると説明したが、例えば、当該取得した位置情報に基づいて、外部のサーバから建物の詳細情報（例えば、災害時の避難経路や避難場所等の防災情報）をユーザの携帯端末を介して取得できるようにしてもよい。
【符号の説明】
【００４６】
１  地上デジタル放送再送信システム
１０  ＤＴＶ受信アンテナ 
２０  ＤＴＶ再送信機
２１  変換回路
２２、４２  ＬＤ
３０  ＧＰＳ受信アンテナ
４０  ＧＰＳ受信機
４１  チューナ
５０、５０ａ、５０ｂ、５０ｃ、５０ｄ  光ケーブル
６０  Ｖ−ＯＮＵ
７０  ＤＴＶフィルタ
８０  ＧＰＳフィルタ
９０  ＤＴＶ送信アンテナ 
１００   ＧＰＳ送信アンテナ
Ｍ１  混合器
Ｄ１、Ｄ２  分配器
【図１】
2012007901.tif 000003